(57)【要約】  【課題】  人体に無害なプラスイオンとマイナスイオンを放出することにより、機外に排気される空気や処理槽内に給気される空気中の浮遊菌を殺菌することができる生ごみ処理機を提供する。  【解決手段】  撹拌羽根２を内蔵し、排気装置２５に連通する処理槽１内に、培養基材３と、好気性菌を入れて、生ごみを投入し一緒に撹拌することにより、好気性菌の働きで生ごみを分解処理して、減量する生ごみ処理機において、前記排気装置２５が処理槽１に連通する吸入口１２に除塵フィルター３０を設け、排気装置２５を構成する通風ダクト２６内にプラスイオンとマイナスイオンを発生するイオン発生装置２７を設けたことを特徴とする。【選択図】      図１
2005118743.tif 000002
【特許請求の範囲】
【請求項１】
撹拌羽根を内蔵した処理槽内に、培養基材と、好気性菌を入れて、生ごみを投入し、好気性菌の働きで生ごみを分解処理する生ごみ処理機において、
前記処理槽内に連通する通路にイオンを発生するイオン発生装置を形設したことを特徴とする生ごみ処理機。
【請求項２】
前記処理槽から本体外に排出する出口近傍にイオンを発生するイオン発生装置を形設したことを特徴とする請求項１に記載の生ごみ処理機。
【請求項３】
撹拌羽根を内蔵し、排気装置に連通する処理槽内に、培養基材と、好気性菌を入れて、生ごみを投入し一緒に撹拌することにより、好気性菌の働きで生ごみを分解処理して、減量する生ごみ処理機において、
前記排気装置が処理槽に連通する吸入口に除塵フィルターを設け、排気装置を構成する通風ダクト内にイオンを発生するイオン発生装置を設けたことを特徴とする生ごみ処理機。
【請求項４】
撹拌羽根を内蔵し、給気装置および排気装置に連通する処理槽内に、培養基材と、好気性菌を入れて、生ごみを投入し一緒に撹拌することにより、好気性菌の働きで生ごみを分解処理して、減量する生ごみ処理機において、
前記排気装置が処理槽に連通する吸入口に除塵フィルターを設け、排気装置を構成する通風ダクト内にイオンを発生するイオン発生装置を設けたことを特徴とする生ごみ処理機。
【請求項５】
撹拌羽根を内蔵し、給気装置および排気装置に連通する処理槽内に、培養基材と、好気性菌を入れて、生ごみを投入し一緒に撹拌することにより、好気性菌の働きで生ごみを分解処理して、減量する生ごみ処理機において、
前記給気装置が処理槽に連通する吐出口に除塵フィルターを設け、給気装置を構成する通風ダクト内にイオンを発生するイオン発生装置を設けたことを特徴とする生ごみ処理機。
【請求項６】
前記イオン発生装置は、プラスイオンとマイナスイオンを発生することを特徴とする請求項１〜５のいずれかに記載の生ごみ処理機。
【発明の詳細な説明】
【技術分野】
【０００１】
本発明は一般家庭の台所において発生する厨芥（以下、「生ごみ」と称する。）を好気性菌を利用して分解処理して減量する方式の生ごみ処理機に関する。
【背景技術】
【０００２】
好気性菌を利用して生ごみを分解処理し、減量する生ごみ技術は、従来から知られている。一般的な生ごみ処理機は、羽根と換気装置を設けた処理槽におがくず、もみがら等の培養基材（「微生物着床剤」とも称する。）を入れ、ここに破砕機を通して破砕した生ごみを撹拌する方式を採用している。
【０００３】
また、特許文献１には、大気へ流出するバクテリアや悪臭の元になる分子をオゾンにより殺菌、分解し、無害な分子に変えて外気に放出することが記載されている。
【特許文献１】特開平７−１３６６２９号公報
【発明の開示】
【発明が解決しようとする課題】
【０００４】
オゾンによる殺菌、脱臭において最も注意しなければならない濃度の高い有害なオゾンを人が吸い込む虞である。この点、上記した生ごみ処理機は、排気経路にオゾン分解触媒を備え、さらにこのオゾン分解触媒と吐出口付近に設けたファンとの間に外気吸入口を設けて、機外から新鮮な空気を取り込んで希釈した上、機外へ放出するようにしている。
【０００５】
したがって、安全装置の構成が複雑であり、消耗品であるオゾン分解触媒の交換コストもかかり、一般家庭用として必ずしも完成度が高いとは言えなかった。
【０００６】
本発明は、上記従来の問題点に鑑みてなされたものであり、人体に無害なプラスイオンとマイナスイオンを放出することにより、機外に排気される空気や処理槽内に給気される空気中の浮遊菌を殺菌することができる生ごみ処理機を提供することを目的とする。
【課題を解決するための手段】
【０００７】
上記目的を達成するため本発明は、撹拌羽根を内蔵した処理槽内に、培養基材と、好気性菌を入れて、生ごみを投入し、好気性菌の働きで生ごみを分解処理する生ごみ処理機において、前記処理槽内に連通する通路にイオンを発生するイオン発生装置を形設したことを特徴とするものである。
【０００８】
例えば、前記処理槽から本体外に排出する出口近傍にイオンを発生するイオン発生装置を形設することができる。
【０００９】
また、撹拌羽根を内蔵し、排気装置に連通する処理槽内に、培養基材と、好気性菌を入れて、生ごみを投入し一緒に撹拌することにより、好気性菌の働きで生ごみを分解処理して、減量する生ごみ処理機において、前記排気装置が処理槽に連通する吸入口に除塵フィルターを設け、排気装置を構成する通風ダクト内にイオンを発生するイオン発生装置を設けたことを特徴とするものである。
【００１０】
あるいは、撹拌羽根を内蔵し、給気装置および排気装置に連通する処理槽内に、培養基材と、好気性菌を入れて、生ごみを投入し一緒に撹拌することにより、好気性菌の働きで生ごみを分解処理して、減量する生ごみ処理機において、前記排気装置が処理槽に連通する吸入口に除塵フィルターを設け、排気装置を構成する通風ダクト内にイオンを発生するイオン発生装置を設けたことを特徴とする。
【００１１】
この構成によると、処理槽内で培養基材と生ごみが一緒に撹拌されて、生ごみは分解処理されるが、撹拌に伴い舞い上がる粒体状の培養基材は、排気装置の吸気口に設けた除塵フィルターにより遮られ、排気装置に吸い込まれる恐れがない。通風ダクト内でイオン発生装置から発生したイオンは、通風ダクト内を流通する空気流に混入され、該空気中の浮遊細菌が殺菌される。このイオンは人体に全く無害であるため、機外に漏れる心配をする必要がないばかりか、機外へ放出されたイオンにより生ごみ処理機周辺の空気中の浮遊細菌が殺菌されるので、機外空気の衛生状態を維持することにも役立つ。
【００１２】
ここで、本発明においては排気ファンが回転しているときのみ、イオンを発生させるようにしている。
【００１３】
また本発明は、撹拌羽根を内蔵し、給気装置および排気装置に連通する処理槽内に、培養基材と、好気性菌を入れて、生ごみを投入し一緒に撹拌することにより、好気性菌の働きで生ごみを分解処理して、減量する生ごみ処理機において、前記給気装置が処理槽に連通する吐出口に除塵フィルターを設け、給気装置を構成する通風ダクト内にイオンを発生するイオン発生装置を設けたことを特徴とする。
【００１４】
この構成によると、処理槽内で培養基材と生ごみが一緒に撹拌されて、生ごみは分解処理されるが、撹拌に伴い舞い上がる粒体状の培養基材は、給気装置の吐出口に設けた除塵フィルターにより遮られ、給気装置の通風ダクトに入る恐れがない。通風ダクト内で発生したイオンは、通風ダクト内を流通する空気中に混入され、該空気中に浮遊する浮遊細菌が殺菌され、処理槽内に雑菌が持ち込まれる恐れがない。
【００１５】
ここで、本発明においては給気ファンが回転しているときのみ、イオンを発生させるようにしている。
【００１６】
なお、前記イオン発生装置は、セラミック沿面放電によりプラスイオンとマイナスイオンとを発生するものであり、これらのイオンの作用により空気中の浮遊細菌を殺菌することができる。
【発明の効果】
【００１７】
本発明の生ごみ処理機によれば、人体に無害なプラスイオンとマイナスイオンを放出することにより、機外に排気される空気や処理槽内に給気される空気に含まれる浮遊細菌を殺菌することができる。
【発明を実施するための最良の形態】
【００１８】
以下、本発明を実施するための最良の形態を図面を参照して説明する。
【実施例１】
【００１９】
図１は、本発明の実施例１の生ごみ処理機の原理を説明するための全体を示す斜視図、図２はその要部断面図である。１は中央に羽根２を有する生ごみ処理槽で、なかに培養基材３が入っている。培養基材３はリグニン、セルローズ等の生分解し難い繊維素が主成分のおがくず、もみがら等でその一粒一粒が多孔質で吸水性と空隙を有し、かつ、粒形が複雑で粒子間に大きな空隙が形成されている。
【００２０】
４は羽根２の軸で駆動用のモータ６により、チェーン、ベルト等の伝達機構６を介して回転される。生ごみ処理槽１の上部には排気装置２５が設けられている。この排気装置２５は生ごみ処理槽１にのぞむ吸入口１２，排気ファン１０，通風ダクト２６，小型のイオン発生装置２７，機外への吐出口１３に設けられたルーバー９から成る。一方生ごみ処理槽１には給気口１１が設けられ、機外の新鮮な空気がここから吸い込まれる。２０は、生ごみ処理槽１への生ごみ投入口であり、生ごみ投入口２０はヒンジ式の蓋２１により開閉される。
【００２１】
本発明においては排気装置２５内に、粒体状の基材が舞い上がっている生ごみ処理槽１内の空気を直に吸い込まないように除塵フィルター３０を吸入口１２に設けている。
【００２２】
これにより、除塵された空気のみ排気装置２５に入るように配置されている。このことは、特にイオン発生装置２７のセラミック沿面放電面に塵埃がたまって、放電が不安定になることの防止上極めて重要である。
【００２３】
一方生ごみ処理槽１内は基材が舞い上がっているので、除塵フィルター３０はすぐ目詰まりしてしまう。その点は、除塵フィルター３０を生ごみ投入口２０から観察できる位置にし、着脱自在にすることにより掃除できるように構成しているので安全である。
【００２４】
排気装置２５の通風ダクト２６内に吸い込まれた空気には、セラミック沿面放電式のイオン発生装置２７により発生したプラスイオンとマイナスイオンが混入され、プラスイオンとマイナスイオンの持つ強力な酸化力により、空気中に含まれる浮遊細菌が殺菌されて機外に放出される。また、この機外に放出されたプラスイオンとマイナスイオンによって、生ごみ処理機周辺に浮遊している細菌が除去される。
【００２５】
したがって、生ごみ処理機周辺を殺菌された雰囲気にすることができ、吸気口１１より生ごみ処理槽１内に吸い込まれる雑菌を少なくすることができる。したがって、雑菌が生ごみ処理槽１内に入って培養基材３に繁殖している好気性菌が死滅させる恐れがなく、生ごみの分解処理が確実に行われる。
【００２６】
また、排気ファン１０が駆動しているときのみ、イオン発生装置２７を駆動させるので、運転中の生ごみ処理槽１内からの空気中に含まれる細菌を除去でき、機外には殺菌された空気が放出され、必要時のみの運転で効率よく空気浄化ができる。
【００２７】
ここで、イオン発生装置２７を駆動させると、上記のようにセラミック沿面放電が起こり、空気中の酸素ないしは水分が電離によりエネルギーを受けてイオン化し、プラスイオンであるＨ+(Ｈ2Ｏ)m（ｍは任意の自然数）とマイナスイオンであるＯ2-(Ｈ2Ｏ)n（ｎは任意の自然数）が生成する。
【００２８】
プラスイオンであるＨ+(Ｈ2Ｏ)m及びマイナスイオンであるＯ2-(Ｈ2Ｏ)nは、空中の浮遊細菌の表面に付着し、化学反応して活性種である過酸化水素（Ｈ2Ｏ2）または水酸基ラジカル（・ＯＨ）を生成する。Ｈ2Ｏ2または・ＯＨは、極めて強力な活性を示すため、これらにより、浮遊細菌を取り囲んで不活化することができる。
【００２９】
また、活性種である過酸化水素（Ｈ2Ｏ2）または水酸基ラジカル（・ＯＨ）は、有害物質を酸化若しくは分解して、ホルムアルデヒドやアンモニアなどの化学物質を、二酸化炭素や、水、窒素などの無害な物質に変換することにより、実質的に無害化することが可能である。
【００３０】
その他、プラスイオンとマイナスイオンには、コクサッキーウィルス、ポリオウィルス、などのウィルス類も不活化する働きがあり、これらウィルスの混入による汚染が防止できる。また、プラスイオンとマイナスイオンには、臭いの元となる分子を分解する働きがあることも確かめられており、空間の脱臭にも利用できる。
【実施例２】
【００３１】
図３は、本発明の実施例２の生ごみ処理機の縦断面図である。この図において、上記実施例１の生ごみ処理機に同一の部材には、その詳細な説明を省略する。この生ごみ処理機は、図３に示すように、給気口の代わりに、機外の新鮮な空気を積極的に取り込むための給気装置３５を配設している。
【００３２】
給気装置３５は、生ごみ処理槽１の円筒側壁から生ごみ処理槽１にのぞむ吐出口１４，給気ファン１５，給気ダクト１６，小型のイオン発生装置２７，機外への吸入口１７に設けられたルーバー１８から成る。機外の新鮮な空気は、給気ファン１５によって、吸入口１７から吸い込まれる。
【００３３】
この実施例においては給気装置３５内に、粒体状の培養基材３が舞い上がっている生ごみ処理槽１内の空気を直に吸い込まないように除塵フィルター３１を吐出口１４に設けている。
【００３４】
給気装置３５の通風ダクト１６内に吸い込まれた空気には、セラミック沿面放電式のイオン発生装置２７により発生したプラスイオンとマイナスイオンが空気に混入され、プラスイオンとマイナスイオンによって機外から吸い込まれた空気中に含まれる浮遊細菌が殺菌されて、生ごみ処理槽１内に流入する。これにより、雑菌が生ごみ処理槽１内に入って培養基材３に繁殖している好気性菌が死滅させる恐れがなく、生ごみの分解処理が確実に行われる。
【００３５】
また、給気ファン１５が駆動しているときのみ、イオン発生装置２７を駆動させるので、運転中の生ごみ処理槽１内からの空気中に含まれる細菌を除去でき、機外には殺菌された空気が放出され、必要時のみの運転で効率よく空気浄化ができる。
【実施例３】
【００３６】
図４は、本発明の実施例３の生ごみ処理機の縦断面図である。この図において、上記実施例２の生ごみ処理機に同一の部材には、その詳細な説明を省略する。この生ごみ処理機は、図４に示すように、上記実施例２と同様の給気装置３５を備えるが、通風ダクト１６を生ごみ処理槽１の上部に設け、生ごみ処理槽１内に横からではなく、上から下へ機外の新鮮な空気を取り込むようにした点が異なっている。
【００３７】
この生ごみ処理機の動作は、実施例２の生ごみ処理機と同様あるが、このように給気装置３５を生ごみ処理槽１の上部に備えることにより、給気装置３５の各部品をある程度のユニット化し、各ユニットの集合として構成することができ、組み立て作業が簡素化され、メンテナンスも容易に行えるというメリットがある。
【産業上の利用可能性】
【００３８】
本発明は、一般家庭の台所において発生する厨芥を好気性菌を利用して分解処理して減量する方式の生ごみ処理機に関するものであり、資源のリサイクル、廃棄物処理業者等の負担軽減が図られる。
【図面の簡単な説明】
【００３９】
【図１】は、本発明の実施例１である生ごみ処理機の全体構成を示す斜視図である。
【図２】は、図１の縦断面図である。
【図３】は、本発明の実施例２である生ごみ処理機の全体構成を示す縦断面図である。
【図４】は、本発明の実施例３である生ごみ処理機の全体構成を示す縦断面図である。
【符号の説明】
【００４０】
１    生ごみ処理槽
２    羽根
３    培養基材
４    軸
２５  排気装置
２７  イオン発生装置
３０，３１  除塵フィルター
３５  給気装置
【図１】
2005118743.tif 000003
【図２】
2005118743.tif 000004
【図３】
2005118743.tif 000005
【図４】
2005118743.tif 000006